(57)【要約】【課題】携帯電話機の持ち込みが禁止されている場所への携帯電話機の持ち込みを抑制する。【解決手段】携帯電話機１００の持ち込みが禁止されている場所の出入り口に設けられた探知機１，２，５，６は、携帯電話機１００から発せられる電波を受信し、受信した電波に対応する所定の探知信号を制御装置３に供給する。制御装置３は、探知機１，２，５，６からの探知信号に基づいて、携帯電話機１００が持ち込まれたか否かを判断し、持ち込まれた携帯電話機１００の数をカウントする。携帯電話機１００が持ち出された場合にはカウント数を減少させ、その場所にある携帯電話機１００の数を把握し、携帯電話機１００の所持者に対してスピーカ４から警笛や音声アナウンスによる警告を行う。【選択図】      図１
2004282540.tif 000002
【特許請求の範囲】
【請求項１】
携帯端末の使用が禁止されている場所への前記携帯端末の持ち込みを監視し、警告を行う携帯端末監視システムであって、
前記携帯端末が前記場所に持ち込まれたことを探知する第１の探知手段と、
前記携帯端末が前記場所から持ち出されたことを探知する第２の探知手段と、
前記第１の探知手段によって前記携帯端末が前記場所に持ち込まれたことが探知されたときカウントアップし、前記第２の探知手段によって前記携帯端末が前記場所から持ち出されたことが探知されたときカウントダウンすることにより、前記場所に存在する前記携帯端末の数をカウントするカウント手段と、
前記カウント手段によってカウントされたカウント数によって示される前記場所に存在する前記携帯端末の数が１以上である間、前記携帯端末の所持者が前記携帯端末を所持して前記場所にとどまっているとみなし、前記所持者に対して繰り返し警告を行う警告手段と
を備えることを特徴とする携帯端末監視システム。
【請求項２】
前記携帯端末が前記場所に持ち込まれようとしていることを探知する第３の探知手段をさらに備え、
前記警告手段は、前記携帯端末の所持者に対して警告を行う
ことを特徴とする請求項１に記載の携帯端末監視システム。
【請求項３】
前記カウント手段による前記カウント数を所定の係員に通知する通知手段をさらに備える
ことを特徴とする請求項１または２に記載の携帯端末監視システム。
【請求項４】
前記第１の探知手段および前記第２の探知手段は、前記場所への出入り口に設置される
ことを特徴とする請求項１乃至３のいずれかに記載の携帯端末監視システム。
【請求項５】
携帯端末の使用が禁止されている場所への前記携帯端末の持ち込みを監視し、警告を行う携帯端末監視方法であって、
前記携帯端末が前記場所に持ち込まれたことを探知する第１の探知ステップと、
前記携帯端末が前記場所から持ち出されたことを探知する第２の探知ステップと、
前記第１の探知ステップにおいて前記携帯端末が前記場所に持ち込まれたことが探知されたときカウントアップし、前記第２の探知ステップにおいて前記携帯端末が前記場所から持ち出されたことが探知されたときカウントダウンすることにより、前記場所に存在する前記携帯端末の数をカウントするカウントステップと、
前記カウントステップにおいてカウントされたカウント数によって示される前記場所に存在する前記携帯端末の数が１以上である間、前記携帯端末の所持者が前記携帯端末を所持して前記場所にとどまっているとみなし、前記所持者に対して繰り返し警告を行う警告ステップと
を備えることを特徴とする携帯端末監視方法。
【請求項６】
携帯端末の使用が禁止されている場所への前記携帯端末の持ち込みを監視し、警告を行う携帯端末監視システムを制御する携帯端末監視プログラムであって、
前記携帯端末が前記場所に持ち込まれたことを探知する第１の探知ステップと、
前記携帯端末が前記場所から持ち出されたことを探知する第２の探知ステップと、
前記第１の探知ステップにおいて前記携帯端末が前記場所に持ち込まれたことが探知されたときカウントアップし、前記第２の探知ステップにおいて前記携帯端末が前記場所から持ち出されたことが探知されたときカウントダウンすることにより、前記場所に存在する前記携帯端末の数をカウントするカウントステップと、
前記カウントステップにおいてカウントされたカウント数によって示される前記場所に存在する前記携帯端末の数が１以上である間、前記携帯端末の所持者が前記携帯端末を所持して前記場所にとどまっているとみなし、前記所持者に対して繰り返し警告を行う警告ステップと
を前記携帯端末監視システムに実行させることを特徴とする携帯端末監視プログラム。
【発明の詳細な説明】
【０００１】
【発明の属する技術分野】
本発明は、携帯端末監視システムに関し、特に、特定の場所への携帯端末の持ち込みおよび特定の場所での携帯端末の使用を制限する携帯端末監視システムに関する。
【０００２】
【従来の技術】
従来、携帯電話機の発する電波がペースメーカ等に影響を及ぼすことから、電車内等においては、携帯電話機を使用しないように促すアナウンスを行っている。
また、携帯電話機等が送信する電波を受信し、この携帯電話機等が送信するＩＤを読み取り、そして、このＩＤを利用し、かつ、基地局等と同一の周波数の電波を使用してこの携帯電話機等に警告情報を送信することにより、電源を入れたままの携帯電話機等の所持者が持込検出区域に立ち入ったことを検出し、そして、携帯電話機のＩＤを使用してこの携帯電話機等のみに警告して、携帯電話機等の電源を切ってもらうようにしたものがある（例えば、特許文献１参照）。
また、ある施設の空間内で携帯型電話機が「使用中または使用可能な状態になっていること」を検出したときに、携帯型電話機の使用をしないように警告するメッセージまたは警告音を発するようにし、携帯型電話機の使用者に携帯電話機の「使用または使用可能な状態」を直ちに止めさせるようにしたものがある（例えば、特許文献２参照）。
【０００３】
【特許文献１】
特開平１１−３３１９３８号公報（図１）
【特許文献２】
第２９５９６２３号公報（図１）
【０００４】
【発明が解決しようとする課題】
ところが、アナウンスを行うだけでは効果があまりなく、電車内等の使用が禁止されている場所で携帯電話機を使用する者が後を絶たないという問題があった。
また、特許文献１に記載の発明では、携帯電話機等が送信するＩＤを取得後、警告情報を送信するため、電波を発生することとなり、電波による悪影響がある場所への適用は困難であるという問題があった。
また、特許文献２に記載の発明では、携帯型電話機の所持者に対して携帯電話機の「使用または使用可能な状態」を直ちに止めさせるようにすることはできるが、携帯電話機の所持者を、携帯電話機の持ち込みが禁止されている場所から退去させることができないという問題があった。
【０００５】
本発明はこのような状況に鑑みてなされたものであり、携帯電話機の持ち込みが禁止されている場所へ携帯電話機を持ち込んだ携帯電話機の所持者を、携帯電話機とともにその場所から退去させることができるようにするものである。
【０００６】
【課題を解決するための手段】
請求項１に記載の携帯端末監視システムは、携帯端末の使用が禁止されている場所への携帯端末の持ち込みを監視し、警告を行う携帯端末監視システムであって、携帯端末がその場所に持ち込まれたことを探知する第１の探知手段と、携帯端末がその場所から持ち出されたことを探知する第２の探知手段と、第１の探知手段によって携帯端末がその場所に持ち込まれたことが探知されたときカウントアップし、第２の探知手段によって携帯端末がその場所から持ち出されたことが探知されたときカウントダウンすることにより、その場所に存在する携帯端末の数をカウントするカウント手段と、カウント手段によってカウントされたカウント数によって示されるその場所に存在する携帯端末の数が１以上である間、携帯端末の所持者が携帯端末を所持してその場所にとどまっているとみなし、所持者に対して繰り返し警告を行う警告手段とを備えることを特徴とする。
また、携帯端末がその場所に持ち込まれようとしていることを探知する第３の探知手段をさらに備え、警告手段は、携帯端末の所持者に対して警告を行うようにすることができる。
また、カウント手段によるカウント数を所定の係員に通知する通知手段をさらに備えるようにすることができる。
また、第１の探知手段および第２の探知手段は、その場所への出入り口に設置されるようにすることができる。
請求項５に記載の携帯端末監視方法は、携帯端末の使用が禁止されている場所への携帯端末の持ち込みを監視し、警告を行う携帯端末監視方法であって、携帯端末がその場所に持ち込まれたことを探知する第１の探知ステップと、携帯端末がその場所から持ち出されたことを探知する第２の探知ステップと、第１の探知ステップにおいて携帯端末がその場所に持ち込まれたことが探知されたときカウントアップし、第２の探知ステップにおいて携帯端末がその場所から持ち出されたことが探知されたときカウントダウンすることにより、その場所に存在する携帯端末の数をカウントするカウントステップと、カウントステップにおいてカウントされたカウント数によって示されるその場所に存在する携帯端末の数が１以上である間、携帯端末の所持者が携帯端末を所持してその場所にとどまっているとみなし、所持者に対して繰り返し警告を行う警告ステップとを備えることを特徴とする。
請求項６に記載の携帯端末監視プログラムは、携帯端末の使用が禁止されている場所への携帯端末の持ち込みを監視し、警告を行う携帯端末監視システムを制御する携帯端末監視プログラムであって、携帯端末がその場所に持ち込まれたことを探知する第１の探知ステップと、携帯端末がその場所から持ち出されたことを探知する第２の探知ステップと、第１の探知ステップにおいて携帯端末がその場所に持ち込まれたことが探知されたときカウントアップし、第２の探知ステップにおいて携帯端末がその場所から持ち出されたことが探知されたときカウントダウンすることにより、その場所に存在する携帯端末の数をカウントするカウントステップと、カウントステップにおいてカウントされたカウント数によって示されるその場所に存在する携帯端末の数が１以上である間、携帯端末の所持者が携帯端末を所持してその場所にとどまっているとみなし、所持者に対して繰り返し警告を行う警告ステップとを携帯端末監視システムに実行させることを特徴とする。
【０００７】
【発明の実施の形態】
図１は、本発明を応用した携帯電話機持ち込み監視システムの一実施の形態の構成例を示すブロック図である。同図に示すように、携帯電話機持ち込み監視システム１０は、携帯電話機１００から発せられる電波を受信することにより、携帯電話機１００を探知し、所定の信号を出力する探知機１，２，５，６と、探知機１，２，５，６から出力される信号に基づいて、携帯電話機１００が携帯電話機１００の持ち込みが禁止されている車両に持ち込まれたか否かを監視し、所定の警告信号を出力する制御装置３と、制御装置３から出力された制御信号に対応する所定の警告を警笛や音声アナウンスにより出力するスピーカ４等により構成されている。
【０００８】
図２は、電車の車両の正面図である。同図に示すように、探知機１，２は、車両の乗降口に設けられており、所定の範囲Ａ内にある携帯電話機１００を探知する。すなわち、探知機１，２はそれぞれ、範囲Ａ内に移動してきた携帯電話機１００から発せられる電波を受信すると、所定の信号を探知信号として制御装置３に供給する。
【０００９】
図３は、電車の車両の側面図である。この例では、探知機１は車両の外側に設けられ、探知機２は車両の内側に設けられている。図３では探知機１と探知機２とは接しているが、所定の間隔を開けて設置することも可能である。携帯電話機１００の所持者が乗降口から車両内に入ろうとしたとき、携帯電話機１００から発せられる電波はまず探知機１によって受信され、次に探知機２によって受信される。
【００１０】
探知機１は、携帯電話機１００から発せられる電波を受信すると、所定の信号を探知信号として制御装置３に供給する。また、探知機２は、携帯電話機１００から発せられる電波を受信すると、所定の信号を探知信号として制御装置３に供給する。この探知信号の値は、携帯電話機１００から発せられる電波の受信レベルの大きさに応じて変化させることができる。従って、その場合、携帯電話機１００が探知機１，２から近ければ近いほど、探知信号の値は大きくなる。
【００１１】
制御装置３は、探知機１，２から供給された探知信号に基づいて、携帯電話機１００が車両内に持ち込まれようとしているか否か、および車両内に持ち込まれたか否かを判断する。例えば、探知機１から供給された探知信号の値と、所定の基準レベル（携帯電話機１００が図３に示す位置（探知機１と最も近い位置）にあるときに探知機１から供給される探知信号の値）との差が所定の値より小さいとき、携帯電話機１００が車両内に持ち込まれようとしていると判断する。
【００１２】
制御装置３は、探知機１，２からの探知信号に基づいて、携帯電話機１００が車両内に持ち込まれようとしていると判断した場合、スピーカ４から警告音または音声アナウンスによる警告メッセージに対応する音声信号を供給する。これにより、スピーカ４から警告音または音声アナウンスによる警告メッセージが出力される（１次通知）。このとき出力される音声アナウンスによる警告メッセージは、車両内への携帯電話機１００の持ち込みが禁止されていることを明確に伝えるものとすることができる。
【００１３】
さらに、制御装置３は、探知機１，２からの探知信号に基づいて、上記音声アナウンスによる警告にも拘わらず、図４に示すように、携帯電話機１００が車両内に持ち込まれてしまったと判断した場合、車両内に持ち込まれた携帯電話機１００の数を示す所定のカウンタの値を１だけ増加させるとともに、警告を振り切って車両内に携帯電話機１００が持ち込まれたことを伝え、別車両に乗車するように促すメッセージに対応する音声信号をスピーカ４に供給する（２次通知）。これにより、スピーカ４から警告を振り切って車両内に携帯電話機１００が持ち込まれたことを伝えるとともに、別車両に乗車するよう促す音声アナウンスが流れる。
【００１４】
上記カウンタのカウント値は、携帯電話機１００が車両内に持ち込まれる毎に１ずつ増加し、制御装置３は、探知機１，２からの探知信号に基づいて、携帯電話機１００の所持者が乗降口から出て行ったと判断した場合、上記カウンタのカウント値を１だけ減らすので、上記カウンタのカウント値は、車両内にある携帯電話機１００の数を表している。
【００１５】
さらに、所定の時間経過後においても、上記カウンタのカウンタ値が１以上である場合（携帯電話機１００の所持者が車両内にとどまっている場合）、制御装置３は、所定の警笛音に対応する音声信号をスピーカ４に供給する。これにより、スピーカ４から警笛音が出力される。最後に、制御装置３は、携帯電話機１００の所持者に対して別車両に乗車するよう促す音声信号をスピーカ４に供給する。これにより、スピーカ４からは、携帯電話機１００の所持者に対して車両から出て別車両に乗車するよう促す音声アナウンスが出力される。
【００１６】
音声アナウンスによる警告および警笛音による警告は、上記カウンタのカウント値が１以上である間、繰り返し行うようにすることができる。
【００１７】
図１に示した探知機５，６は、図５に示すように、携帯電話機１００の持ち込みが不可能な車両（携帯電話機持込不可車両）２００と、携帯電話機１００の持ち込みが可能な車両（携帯電話機持込可能車両）３００とが連結されている場合において、携帯電話機１００の持ち込みが不可能な車両２００から連結部に抜ける出口付近に設けられている。
【００１８】
携帯電話機１００の所持者が、携帯電話機１００の持ち込みが不可能な車両２００から、携帯電話機１００の持ち込みが可能な車両３００に移動するとき、探知機５および探知機６によって携帯電話機１００が探知され、探知信号が制御装置３に供給される。制御装置３は、上述した場合と同様にして、携帯電話機１００の所持者が携帯電話機１００の持ち込みが不可能な車両２００から携帯電話機１００の持ち込みが可能な車両３００へ移動したと判断すると、上記カウンタのカウント値を１だけ減らす。これにより、携帯電話機１００の持ち込みが不可能な車両２００内に存在する携帯電話機１００の数が更新される。
【００１９】
また、図６に示すように、携帯電話機１００の所持者が、携帯電話機１００の持ち込みが可能な車両３００から、携帯電話機１００の持ち込みが不可能な車両２００に移動するとき、探知機６および探知機５によって携帯電話機１００が探知され、探知信号が制御装置３に供給される。制御装置３は、上述した場合と同様にして、携帯電話機１００の所持者が携帯電話機１００の持ち込みが不可能な車両２００から携帯電話機１００の持ち込みが可能な車両３００へ移動したと判断すると、上記カウンタのカウント値を１だけ増加させる。これにより、携帯電話機１００の持ち込みが不可能な車両２００内に存在する携帯電話機１００の数が更新される。
【００２０】
このように、上記カウンタのカウント値は、携帯電話機１００の持ち込みが不可能な車両２００内にある携帯電話機１００の数を表しているので、このカウンタ値が１以上であるとき、携帯電話機１００の持ち込みが不可能な車両２００内に携帯電話機１００が存在することになる。従って、携帯電話機１００が車両２００内にある間、警笛音や音声アナウンスによる警告を行うことができる。
【００２１】
また、携帯電話機１００の電源をオンにした状態で、携帯電話機１００の持ち込みが不可能な車両２００内に携帯電話機１００を持ち込んだ所持者が、その後、携帯電話機１００の電源をオフにしても、一旦カウントされたカウンタのカウント値は減少しないので、この所持者に対しては、携帯電話機１００を所持して車両を退去するまで、警告を行うことができる（２次通知）。また、乗務員に対してカウンタのカウント値を通知することもできる（３次通知）。この通知を受けた乗務員は、その車両２００に移動して携帯電話機１００の所持者に対して警告することができる。
【００２２】
以上説明したように、本実施の形態により、複数の携帯電話機１００を探知することができ、その所持者の乗車を強制的に遮断することなく、乗車および降車の際のスムーズな人の流れを保ちつつ、車両２００内に持ち込まれた携帯電話機１００の数を的確に把握するとともに、それと連動して、３段階に亘る警告を行い、仮に携帯電話機１００の所持者が乗車している場合でも、より確実に携帯電話機１００の使用を抑制することができる。
【００２３】
すなわち、本実施の形態では、乗車時に携帯電話機１００の携帯の有無を判別して警告を行う（１次通知）ことにより、携帯電話機１００の車両内への持ち込みを止めるように促す。また、この警告を無視して携帯電話機１００が車両内に持ち込まれる毎にカウンタのカウント値が１ずつ増加し、そのカウント値は携帯電話機１００が車両外に持ち出される毎に１ずつ減少するので、カウント値が１以上の間は携帯電話機１００が車両内にあるとみなすことができる。従って、携帯電話機１００の所持者に対して確実に警告を行うことができ、車両内の全ての携帯電話機１００を車両外に持ち出させるように所持者に対して警告し続けることができる（２次通知）。また、カウント値を乗務員に通知する（３次通知）ことにより、乗務員は、車両内に残っている携帯電話機１００の数を確認し、その車両に行って直接警告することができる。
【００２４】
なお、上記実施の形態においては、本発明を電車の車両に適用する場合について説明したが、バス、船、飛行機、鉄道等の他の交通機関にも適用することができる。
【００２５】
また、上記実施の形態においては、携帯電話機１００を持ち込む場合について説明したが、心臓やペースメーカ等に悪影響を及ぼす電波を発するその他の機器を特定の場所に持ち込む場合にも本発明を適用することができる。
【００２６】
また、上記実施の形態においては、探知機１，２，５，６は、携帯電話機１００から発せられる電波を受信することにより、携帯電話機１００を探知するようにしたが、携帯電話機１００を探知する方法はこれに限定されるものではなく、その他の様々な方法で携帯電話機１００を探知するようにすることができる。
【００２７】
また、上記実施の形態の構成および動作は例であって、本発明の趣旨を逸脱しない範囲で適宜変更することができることは言うまでもない。
【００２８】
【発明の効果】
以上の如く、本発明に係る携帯端末監視システムによれば、携帯端末が所定の場所に持ち込まれたことを探知し、携帯端末がその場所から持ち出されたことを探知し、携帯端末がその場所に持ち込まれたことが探知されたときカウントアップし、第２の探知ステップにおいて携帯端末がその場所から持ち出されたことが探知されたときカウントダウンすることにより、その場所に存在する携帯端末の数をカウントし、カウントしたカウント数によって示されるその場所に存在する携帯端末の数が１以上である間、携帯端末の所持者が携帯端末を所持してその場所にとどまっているとみなし、所持者に対して繰り返し警告を行うようにしたので、携帯端末の持ち込みが禁止されている場所に存在する携帯端末の数を常時把握することができ、携帯端末の所持者に対して確実に警告を行うことができる。
【図面の簡単な説明】
【図１】本発明を応用した携帯電話機持ち込み監視システムの一実施の形態の構成例を示すブロック図である。
【図２】携帯電話機の持ち込みが禁止されている車両の乗降口に設けられた探知機の正面図である。
【図３】携帯電話機の持ち込みが禁止されている車両の乗降口に設けられた探知機の側面図である。
【図４】携帯電話機の持ち込みが禁止されている車両の乗降口から携帯電話機が持ち込まれる様子を示す図である。
【図５】携帯電話機の持ち込みが不可能な車両から可能な車両に携帯電話機の所持者が移動する様子を示す図である。
【図６】携帯電話機の持ち込みが可能な車両から不可能な車両に携帯電話機の所持者が移動する様子を示す図である。
【符号の説明】
１，２，５，６  探知機
３  制御装置
４  スピーカ
１０  携帯電話機持ち込み監視システム
１００  携帯電話機
２００  携帯電話機持込不可車両
３００  携帯電話機持込可能車両
【図１】
2004282540.tif 000003
【図２】
2004282540.tif 000004
【図３】
2004282540.tif 000005
【図４】
2004282540.tif 000006
【図５】
2004282540.tif 000007
【図６】
2004282540.tif 000008